(57)【要約】【課題】構造体に取り付けたパネルにがたつきが生じることがなく、しかもパネルを円滑に構造体に組み付けることができるようにしたパネル取付構造、およびそれを用いた商品陳列什器を提供する。【解決手段】パネル６の裏面に設けた複数の下向き鉤形の係止爪１９を、構造体５の取付面における対応する箇所に設けた係合孔１３に係合させることにより、パネル６を構造体５の取付面に取り付けるようにしたパネル取付構造において、パネル６の裏面におけるいずれかの係止爪１９の下部と等高をなす部分と、それに対向する構造体５の取付面とのいずれか一方に、他方に当接して圧縮されるようにした弾性体２２を設ける。【選択図】図４
2006124999.tif 000002
【特許請求の範囲】
【請求項１】
パネルの裏面に設けた複数の下向き鉤形の係止爪を、構造体の取付面における対応する箇所に設けた係合孔に係合させることにより、パネルを構造体の取付面に取り付けるようにしたパネル取付構造において、
前記パネルの裏面におけるいずれかの係止爪の下部と等高をなす部分と、それに対向する前記構造体の取付面とのいずれか一方に、他方に当接して圧縮されるようにした弾性体を設けたことを特徴とするパネル取付構造。
【請求項２】
パネルの裏面に上下１対の係止爪を設け、その下方の係止爪の下部と等高の前記パネルの裏面、またはそれに対向する構造体の取付面に、弾性体を設けたことを特徴とする請求項１記載のパネル取付構造。
【請求項３】
パネルの裏面と構造体の取付面とにおける弾性体を取り付けた部分と弾性体が当接する部分とのいずれか一方を、対向する面より離間するように段落ちさせたことを特徴とする請求項１または２記載のパネル取付構造。
【請求項４】
パネルの底板の後端縁に起立片を設け、この起立片に弾性体を取り付けたことを特徴とする請求項１〜３のいずれかに記載のパネル取付構造。
【請求項５】
前後方向を向く左右１対のベース脚に立設した縦支柱の前面に棚板を取り付け、前記ベース脚の前端部に設けたパネル支持部材の前面に上下１対の係合孔を穿設し、各係合孔に、前面パネルの両側部の裏面に設けた上下１対の下向き鉤形の係止爪を係止することにより、前面パネルをパネル支持部材に装着するようにした商品陳列什器において、
前面パネルのパネル支持部材への取付構造を、請求項１〜４のいずれかに記載のパネル取付構造としたことを特徴とする商品陳列什器。
【発明の詳細な説明】
【技術分野】
【０００１】
本発明は、各種構造体の取付面にパネルを係止するためのパネル取付構造、およびそれを用いた商品陳列什器に関する。
【背景技術】
【０００２】
従来、パネルに係止爪を、また構造体である支柱等に係合孔をそれぞれ設け、係止爪を係合孔に係合させることにより、パネルを構造体に係止するようにしたパネル取付構造は公知である(例えば、特許文献１)。
【特許文献１】特開平９−１３７５３３号公報
【発明の開示】
【発明が解決しようとする課題】
【０００３】
しかし、上記のようなパネル取付構造では、以下のように、パネルが構造体に対してがたつくという問題がある。
【０００４】
例えば、図６(ａ)に示すように、構造体(５)の前面に設けた上下１対の係合孔(12)(13)に、パネル(６)の裏面に設けた係止爪(18)(19)を係合させる際、係止爪(18)(19)および係合孔(12)(13)がパネル(６)によって遮られて前方から視認しづらいので、まずパネル(６)を若干前傾させて、下部の係止爪(19)を係合孔(13)に挿入し、下部の係止爪(19)を中心にパネル(６)を後方に回動させて上部の係止爪(18)を上部の係合孔(12)に挿入した後、パネル(６)を若干下降させて、図６(ｂ)に示すように、係止爪(18)(19)と係合孔(12)(13)に係合させて取り付ける。
【０００５】
上記の動作を行うため、係止爪(18)(19)と係合孔(12)(13)との間には、上下方向のクリアランス(Ｃ)が必要であり、構造体(５)とパネルとの間にも隙間(Ｇ)が必要である。ところが、このクリアランス(Ｃ)および隙間(Ｇ)があるため、取り付けた後のパネル(６)が上下や前後に動き、がたつきが生じるという問題がある。
【０００６】
本発明は、従来の技術が有する上記のような問題点に鑑み、構造体に取り付けたパネルにがたつきが生じることがなく、しかもパネルを円滑に構造体に組み付けることができるようにしたパネル取付構造、およびそれを用いた商品陳列什器を提供することを目的としている。
【課題を解決するための手段】
【０００７】
本発明によると、上記課題は、次のようにして解決される。
(１)パネルの裏面に設けた複数の下向き鉤形の係止爪を、構造体の取付面における対応する箇所に設けた係合孔に係合させることにより、パネルを構造体の取付面に取り付けるようにしたパネル取付構造において、前記パネルの裏面におけるいずれかの係止爪の下部と等高をなす部分と、それに対向する前記構造体の取付面とのいずれか一方に、他方に当接して圧縮されるようにした弾性体を設ける。
【０００８】
(２)上記(１)項において、パネルの裏面に上下１対の係止爪を設け、その下方の係止爪の下部と等高の前記パネルの裏面、またはそれに対向する構造体の取付面に、弾性体を設ける。
【０００９】
(３)上記(１)または(２)項において、パネルの裏面と構造体の取付面とにおける弾性体を取り付けた部分と弾性体が当接する部分とのいずれか一方を、対向する面より離間するように段落ちさせる。
【００１０】
(４)上記(１)〜(３)項のいずれかにおいて、パネルの底板の後端縁に起立片を設け、この起立片に弾性体を取り付ける。
【００１１】
(５)前後方向を向く左右１対のベース脚に立設した縦支柱の前面に棚板を取り付け、前記ベース脚の前端部に設けたパネル支持部材の前面に上下１対の係合孔を穿設し、各係合孔に、前面パネルの両側部の裏面に設けた上下１対の下向き鉤形の係止爪を係止することにより、前面パネルをパネル支持部材に装着するようにした商品陳列什器において、前面パネルのパネル支持部材への取付構造を、上記(１)〜(４)項のいずれかに記載のパネル取付構造とする。
【発明の効果】
【００１２】
本発明によると、次のような効果を奏することができる。
(ａ)請求項１記載の発明によると、パネルの裏面におけるいずれかの係止爪の下部と等高をなす部分と、それに対向する構造体の取付面との間において圧縮された弾性体の復元力により、パネルの表裏方向のがたつきが防止されるとともに、弾性体と構造体の取付面またはパネルの裏面との摩擦により、パネルの上下方向のがたつきと、係止爪の係合孔からの外れとが防止される。
また、パネルの係止爪を構造体の係合孔に係合させる際に、弾性体を構造体の取付面またはパネルの裏面に押し付けつつ行うことにより、騒音を発することなく、作業を静かにかつ円滑に行うことができる。
【００１３】
(ｂ)請求項２記載の発明によると、パネルを前傾させた状態で、下方の係止爪を、弾性体を圧縮させつつ、下方の係合孔に係合させ、次いでパネルを起立させつつ、上方の係止爪を上方の係合孔に嵌合し、その後、パネルを若干下降させるという手順で、パネルを手際よく円滑に構造体の取付面に取付けることができる。
【００１４】
(ｃ)請求項３記載の発明によると、パネルの裏面と構造体の取付面との間に、弾性体を収容するためのスペースを確保することができるので、弾性体の厚さを大として、緩衝効果を高めることができる。
【００１５】
(ｄ)請求項４記載の発明によると、パネルの底板の後端縁に形成した折曲部の面に緩衝部材を取り付けるようにしたので、裏面板がない構造のパネルにも緩衝部材を取り付けることができる。
【００１６】
(ｅ)請求項５記載の発明によると、商品陳列什器の下部前面に装着される前面パネルの取付作業を、騒音を発することなく、静かにかつ円滑に行うことができるとともに、パネルの前後方向および上下方向のがたつきと、係止爪の係合孔からの脱落とを防止することができる。
【発明を実施するための最良の形態】
【００１７】
以下、本発明の実施形態であるパネル取付構造を備える商品陳列什器の一例を、図面を参照して説明する。なお、図６に示すものと同一部材または同一機能の部材には、同一の符号を付して図示してある。
図１は、商品陳列什器の分解斜視図である。
【００１８】
図１に示すように、前後方向を向くべース脚(１)のほぼ中央に立設した複数の縦支柱(２)の前面には、上方においては水平陳列棚(３)、下方においては傾斜陳列棚(４)が、複数段ずつ設けられている（縦支柱(２)の後面側の構造に関しては説明を省略する）。べース脚(１)の前部には、後述するように、パネル支持部材(５)が取り付けられ、このパネル支持部材(５)に前面パネル(６)が取り付けられるようになっている。
【００１９】
縦支柱(２)の前後面（後面のものは図示略）に設けた左右２列とした多数の係合孔(７)の任意の高さのものには、傾斜支柱(８)の上端部に回動可能に取り付けられた係合片（図示略）が係止され、傾斜支柱(８)の前面には、上記傾斜陳列棚(４)を係合させるための多数の係合孔(９)が、長手方向に沿って設けられている。傾斜支柱(８)は、その傾斜角度を角度調節杆(10)により任意に調整できるようになっている。
【００２０】
図２は、パネル取付構造の要部分解斜視図、図３は、同じく縦断側面図である。
このパネル取付構造は、前面パネル(６)と、角筒状とした上記べース脚(１)に嵌合され、前面パネル(６)が取り付けられるパネル支持部材（構造体）(５)とを有している。パネル支持部材(５)は、下部開放の下向きコ字状とした前後方向を向く水平杆(5a)と、この水平杆(5a)の前端部に固定された後向きコ字状の縦杆(5b)とからなっている。水平杆(5a)の上面には複数のねじ孔(11)が前後方向に所定間隔で設けられ、縦杆(5b)の前面には、上下２箇所に係合孔(12)(13)が設けられている。べース脚(１)の上面には、貫通孔(14)が設けられている。
【００２１】
べース脚(１)の前後の端部下面には、高さ調整用のアジャスタボルト(15)が設けられ、このアジャスタボルト(15)により、ベース脚(１)は床(16)上に水平に支持されている。このべース脚(１)内に水平杆(5a)が前方より摺動自在に嵌合され、止ねじ(17)を貫通孔(14)からねじ孔(11)の１つに螺合することにより、水平杆(5a)はベース脚(１)に固定される。前面パネル(６)は、上部に手掛け部(6a)が折曲げ形成され、かつ両側端より後方に向けて折曲げ形成された側板(6b)の後縁に、上下１対の下向き鉤形の係止爪(18)(19)が形成されたもので、図３に示すように、これら係止爪(18)(19)を縦杆(5b)の係合孔(12)(13)に係合させることにより、パネル支持部材(５)に取り付けられている。
【００２２】
傾斜支柱(８)の傾斜角度を変更すると、最下段の陳列棚(4a)の前縁の位置が変化するので、これに合わせて、陳列棚(4a)の前端と前面パネル(６)との間に、上方より視認できる大きな開口が露呈しないように、水平杆(5a)を前後移動させて、前面パネル(６)の位置を調整するようにしている。
【００２３】
べース脚(１)上には、物品を一時的に保管する予備棚板(20)が取り付けられている。このような予備棚板(20)が設けられた構造では、最下部の陳列棚(4a)の下方に大きな開口が露呈すると、予備棚板(20)上の物品が見えてしまい、美観上好ましくないが、本実施形態では、前面開口が前面パネル(６)で隠され、大きな開口は露呈しないので、このような事態が避けられる。
【００２４】
図４は、パネル取付構造を別方向から見た要部分解斜視図、図５は、パネルの取り付け過程を示す縦断側面図である。
図４に示すように、前面パネル(６)の底板(6c)の後縁から直角に起立する起立片(21)には、緩衝部材となる弾性体(22)が取り付けられている。起立片(21)は、前面パネル(６)における側板(6b)の後縁より前方に段落ちしており、前面パネル(６)装着後に、起立片(21)と縦杆(5b)の前面との間に、弾性体(22)収容用のスペースを形成するようにしてある。
【００２５】
弾性体(22)は、ゴム等の軟質材からなり、後部に一体的に形成された取付部(22a)が、起立片(21)に穿設された孔(23)に圧嵌されることにより、起立片(21)の裏側に突出している。
【００２６】
図５(ａ)に示すように、前面パネル(６)を前方に傾けた状態で、下部の係合孔(13)に係止爪(19)を挿入し、かつ弾性体(22)の後面を縦杆(5b)の前面に押圧して、弾性体(22)を圧縮させつつ、係止爪(19)を係合孔(13)の下縁に係合させ、次いで、図５(ａ)に矢印で示すように、前面パネル(６)をパネル支持部材(５)の前面に沿うように後方に向けて回動させて、上方の係止爪(18)を上方の係合孔(12)に嵌合し、その後、図５(ｂ)に矢印で示すように、前面パネル(６)を若干下降させると、図５(ｂ)に示すように、弾性体(22)が起立片(21)と縦杆(5b)との間で圧縮された状態となる。
この状態では、前面パネル(６)は、弾性体(22)の弾性力により、前後方向の動きが抑制され、また弾性体(22)と縦杆(5b)の前面との摩擦力により、上下方向の動きが抑制され、前面パネル(６)のがたつきが防止される。
【００２７】
なお、本発明においては、本発明の範囲を逸脱しない範囲で、幾多の異なる形態での実施が可能である。
例えば、上記の実施形態では、前面パネル(６)の裏面における下方の係止爪(19)の下部と等高の部部に弾性体(22)を設けたが、弾性体(22)を縦杆(5b)の前面側に設けたり、または上方の係止爪(18)の下部と等高の部分に設けたりしてもよい。
また、縦杆(5b)の前面における弾性体(22)の当接部を、局部的に後方に段落ちさせてもよい。
【００２８】
さらに、上方の係止爪(18)を、上向き鉤形としたり、または上向き鉤形部と下向き鉤形部との両方を備えるものとしてもよい。この場合の前面パネル(６)の取付手順は、上述の場合と異なり、上方の係止爪(18)を下方の係止爪(19)より先に係合孔(12)に係合させることになる。
【産業上の利用可能性】
【００２９】
上記実施形態は、本発明を商品陳列什器に適用したものであるが、本発明は、パネルを、複数の係止爪をもって構造体の取付面に係止させるものであれば、例えば間仕切装置におけるパネルの取付構造や、机の背面板の取付構造等のあらゆるものに適用することができる。
【図面の簡単な説明】
【００３０】
【図１】本発明のパネル取付構造の一実施形態を備える商品陳列什器の一例を示す分解斜視図である。
【図２】同じく、前面パネル取付構造の要部分解斜視図である。
【図３】同じく、前面パネル取付構造の縦断側面図である。
【図４】同じく、前面パネル取付構造を別の方向から見た要部分解斜視図である。
【図５】同じく、前面パネルの取り付け要領を示す縦断側面図である。
【図６】従来のパネル取付構造におけるパネルの取り付け要領を示す縦断側面図である。
【符号の説明】
【００３１】
(１)べース脚
(２)縦支柱
(３)水平陳列棚
(４)傾斜陳列棚
(4a)最下段の陳列棚
(５)パネル支持部材（構造体）
(5a)水平杆
(5b)縦杆
(６)前面パネル（パネル）
(6a)手掛け部
(6b)側板
(6c)底片
(７)係合孔
(８)傾斜支柱
(９)係合孔
(10)角度調節杆
(11)ねじ孔
(12)(13)係合孔
(14)貫通孔
(15)アジャスタボルト
(16)床
(17)止ねじ
(18)(19)係止爪
(20)予備棚板
(21)起立片
(22)弾性体
(22a)取付部
(23)孔
(Ｃ)クリアランス
(Ｇ)隙間
【図１】
2006124999.tif 000003
【図２】
2006124999.tif 000004
【図３】
2006124999.tif 000005
【図４】
2006124999.tif 000006
【図５】
2006124999.tif 000007
【図６】
2006124999.tif 000008